(57)【要約】【課題】  コピー項目の誤設定を簡単に修正できるようにする。【解決手段】  画像形成装置は設定されたコピー項目で試しコピーを実行し、ミスコピーが発生したとき、ユーザは画像形成装置の表示手段の表示画面（１０１）でミスコピー補正ボタン１０１ｙを選択する。この選択入力により、画像形成装置は、前記設定されたコピー項目を表示装置に表示する（画面１０２）。ユーザはこの表示画面において誤設定に係るコピー項目を選択する。画像形成装置は当該コピー項目に係る質問事項一覧を表示し（画面１０３）、ユーザは表示された質問事項を選択入力し、画像形成装置は入力された質問事項に基いて更に関連質問事項一覧を表示する（画面１０５〜画面１０６、画面１０８〜１０９）。このように画像形成装置とユーザと対話を続け、ミスコピーに係るコピー項目の再設定を行う（画面１０７、画面１１０）。【選択図】  図５
2005268947.tif 000002
【特許請求の範囲】
【請求項１】
設定コピー項目の正否判定のための試しコピーが可能な画像形成装置であって、
設定コピー項目一欄を表示する手段と、表示した設定コピー項目一覧から選択されたコピー項目の入力を行うためのコピー項目入力手段と、コピー項目と当該コピー項目に係る質問事項一覧とを対応して記憶した記憶手段と、入力されたコピー項目に基き、前記記憶手段から当該コピー項目に係る質問事項一覧を検索して抽出する手段と、抽出した質問事項一覧を表示する手段と、表示した質問事項一覧から選択された質問事項の入力を行うための質問事項入力手段と、入力された質問事項に基いて誤設定されたコピー項目の設定を解除又は修正する手段と、を備えてたことを特徴とする試しコピーが可能な画像形成装置。
【請求項２】
請求項１記載の試しコピーが可能な画像形成装置において、
前記コピー項目の設定を修正する手段は、質問事項及び該質問事項に対応した関連質問事項一覧を記憶した記憶手段と、前記質問事項に基づき前記記憶手段から関連質問事項一覧を検索して抽出する手段と、抽出した関連質問事項一覧を表示する手段と、表示した関連質問事項一覧から選択入力された関連質問事項に基づきコピー項目の再設定を行う手段とを備えていることを特徴とする試しコピーが可能な画像形成装置。
【請求項３】
コピー項目の誤設定を事前にチェックするための試しコピーが可能な画像形成装置のコンピュータを、
設定コピー項目一欄を表示制御する手段、表示した設定コピー項目一覧から選択されたコピー項目の入力制御を行う手段と、入力されたコピー項目に基き、コピー項目と当該コピー項目に係る質問事項一覧とを対応して記憶した記憶手段から、当該コピー項目に係る質問事項一覧を検索して抽出する手段、抽出した質問事項一覧を表示制御する手段、表示した質問事項一覧から選択された質問事項の入力制御を行う手段、入力された質問事項に基いて誤設定されたコピー項目の設定を解除又は修正する手段として機能させるためのプログラム。
【請求項４】
請求項３記載のプログラムにおいて、
コピー項目の誤設定を事前にチェックするための試しコピーが可能な画像形成装置のコンピュータを、
前記質問事項に基づき質問事項及び質問事項に対応した関連質問事項一覧を記憶した記憶手段から関連質問事項一覧を検索して抽出する手段、抽出した関連質問事項一覧を表示制御する手段、表示した関連質問事項一覧から選択入力された関連質問事項に基づきコピー項目の再設定を行う手段として機能させるためのプログラム。
【発明の詳細な説明】
【技術分野】
【０００１】
本発明は、試しコピーが可能な画像形成装置、より詳しくは設定されたコピー項目（又はコピー条件）をユーザとの対話形式で自動修正できるようにした画像形成装置及びプログラムに関する。
【背景技術】
【０００２】
デジタル複写機における試しコピー機能は、複数枚のコピーを行う前に記録紙上の作像状態を確認するため１枚だけコピーを行う機能である。この機能によれば、複数のコピー枚数がセットされている場合であっても、いきなりコピーを行わずに試験的に１枚のみをコピーするので、ユーザー（又はオペレータ）は予めコピーの出来具合を確認することができ、無駄な多数枚のコピーを避けることができる。
【０００３】
近時、デジタル複写機の機能は多様化し、多くの機能により色々な種類のコピーが可能になっている。その機能は、コピー濃度調整、原稿種類選択、用紙選択等の基本機能から拡大、縮小、変倍、両面、集約、分割等の応用機能、またソート、スタック、ステープル、パンチ等の付加機能まで多岐にわたっている。このように機能が多様化するに伴い、設定作業も複雑化するためその正否を事前に判断する必要性が高まっており、試しコピー機能による試しコピーも行われている。
例えば、大型サイズの印刷用紙にコピーする場合に、特定の部分の濃度に注目する必要性から、その特定部分のみの画像濃度を確認するための特殊な機能による試しコピーが行われている（特許文献１参照）。
【特許文献１】特開２００２−１８５６７１号公報参照
【発明の開示】
【発明が解決しようとする課題】
【０００４】
ところで、デジタル複写機の機能が多様化し増加することにより、機能設定する数も増加し、しかも、その設定は小さな液晶画面の中、つまりユーザーが機能設定のミスを冒し易い環境において行わなければならないため、試しコピーを行った結果、設定ミスをしたらしいことが分かっても、自分がどの設定個所でどのように設定したかをすぐに認識することができず、正しい機能設定に労力を費やしているのが実状である。
【０００５】
本発明は、このような実状に鑑みなされたもので、その目的は、コピー項目の設定を誤った場合においても、誤った設定を容易に修正できるようにすることを目的とする。
【課題を解決するための手段】
【０００６】
請求項１の発明は、設定コピー項目の正否判定のための試しコピーが可能な画像形成装置であって、設定コピー項目一欄を表示する手段と、表示した設定コピー項目一覧から選択されたコピー項目の入力を行うためのコピー項目入力手段と、コピー項目と当該コピー項目に係る質問事項一覧とを対応して記憶した記憶手段と、入力されたコピー項目に基き、前記記憶手段から当該コピー項目に係る質問事項一覧を検索して抽出する手段と、抽出した質問事項一覧を表示する手段と、表示した質問事項一覧から選択された質問事項の入力を行うための質問事項入力手段と、入力された質問事項に基いて誤設定されたコピー項目の設定を解除又は修正する手段と、を備えてたことを特徴とする試しコピーが可能な画像形成装置である。
請求項２の発明は、請求項１記載の試しコピーが可能な画像形成装置において、前記コピー項目の設定を修正する手段は、質問事項及び該質問事項に対応した関連質問事項一覧を記憶した記憶手段と、前記質問事項に基づき前記記憶手段から関連質問事項一覧を検索して抽出する手段と、抽出した関連質問事項一覧を表示する手段と、表示した関連質問事項一覧から選択入力された関連質問事項に基づきコピー項目の再設定を行う手段とを備えていることを特徴とする試しコピーが可能な画像形成装置である。
請求項３の発明は、コピー項目の誤設定を事前にチェックするための試しコピーが可能な画像形成装置のコンピュータを、設定コピー項目一欄を表示制御する手段、表示した設定コピー項目一覧から選択されたコピー項目の入力制御を行う手段と、入力されたコピー項目に基き、コピー項目と当該コピー項目に係る質問事項一覧とを対応して記憶した記憶手段から、当該コピー項目に係る質問事項一覧を検索して抽出する手段、抽出した質問事項一覧を表示制御する手段、表示した質問事項一覧から選択された質問事項の入力制御を行う手段、入力された質問事項に基いて誤設定されたコピー項目の設定を解除又は修正する手段として機能させるためのプログラムである。
請求項４の発明は、請求項３記載のプログラムにおいて、コピー項目の誤設定を事前にチェックするための試しコピーが可能な画像形成装置のコンピュータを、前記質問事項に基づき質問事項及び質問事項に対応した関連質問事項一覧を記憶した記憶手段から関連質問事項一覧を検索して抽出する手段、抽出した関連質問事項一覧を表示制御する手段、表示した関連質問事項一覧から選択入力された関連質問事項に基づきコピー項目の再設定を行う手段として機能させるためのプログラムである。
【発明の効果】
【０００７】
本発明によれば、コピー項目の設定を誤った場合においても、簡単に誤った設定を修正することができる。
【発明を実施するための最良の形態】
【０００８】
はじめに、本発明が実施される複合機としてのデジタル複写機について説明する。
図１は、本発明の実施形態に係るデジタル複写機の全体概略構成図である。
図１において、自動原稿送り装置（以下「ＡＤＦ」と記す）１に設けた原稿台２に、原稿の画像面を上にして置かれた原稿束は、図２で後述する操作部３０のスタートキー３４が押下されることにより、一番下の原稿から給送ローラ３、給送ベルト４によってコンタクトガラス６上の所定の位置に給送される。このときカウント機能により、１枚の原稿の給送完了毎に原稿枚数をカウントアップし管理情報として得る。給送されたコンタクトガラス６上の原稿は読み取りユニット５０によって画像データが読み取られ、読み取りが終了した原稿は、給送ベルト４及び排送ローラ５によって排出される。さらに、原稿セット検知器７にて原稿台２に次の原稿が有ることを検知した場合、前の原稿と同様にコンタクトガラス６上に給送される。給送ローラ３、給送ベルト４、排送ローラ５は搬送モータ（不図示）によって駆動される。
【０００９】
前記読み取りユニット５０は、原稿を載置するコンタクトガラス６と走査光学系で構成されており、走査光学系は、露光ランプ５１、第１ミラー５２、レンズ５３、ＣＣＤ(Charge Coupled Device)イメージセンサ５４等で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジと第２キャリッジとが２対１の相対速度で走行するような移動機構を用いる。この移動機構は、図示しないスキャナ駆動モータにて駆動される。原稿画像は、ＣＣＤイメージセンサ５４によって読み取られ、電気信号に変換されて処理される。
【００１０】
書き込みユニット５７はレーザ出力ユニット５８、結像レンズ５９、ミラー６０により構成され、レーザ出力ユニット５８の内部には、レーザ光源であるレーザダイオード及びモータによって高速で定速回転する多角形ミラー（ポリゴンミラー）が装備されている。
前記読み取りユニット５０にて読み取られた原稿の画像データに基いて生成された作像データにより、レーザ出力ユニット５８のレーザの発光を制御し、制御されたレーザ光は、定速回転するポリゴンミラーで偏光され、結像レンズ５９を通り、ミラー６０で折り返され、感光体１５面上に集光結像する。
偏向されたレーザ光は感光体が回転する方向と直行する方向（主走査方向）に露光走査され、後述する本機の制御部（図３）のセレクタ６４より出力された画像信号のライン単位の記録を行う。感光体の回転速度と記録密度に対応した所定の周期で主走査を繰り返すことによって、感光体面上に画像（静電潜像）が形成される。
【００１１】
なお、書き込みユニット５７から出力されるレーザ光が、画像作像系の感光体１５を主走査を伴い照射すると同時に、感光体１５の一端近傍の受光位置に設けたビームセンサ（不図示）を照射することにより、主走査同期信号を発生する。この主走査同期信号をもとに主走査方向の画像記録開始タイミングの制御、および後述する画像信号の入出力を行うための制御信号の生成を行う。
【００１２】
潜像が形成された感光体１５は、現像ユニット２７を通過することによって、この潜像にトナーが付着しトナー像が形成される。トナー像を保持する感光体１５の回転と等速で搬送ベルト１６によって転写紙を搬送しながら、転写紙に感光体１５上のトナー像を転写する。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。トナー像が転写された転写紙は、その後、定着ユニット１７にてトナー像が定着され、排紙ユニット１８によって後処理装置であるフィニッシャ１００に排出される。
【００１３】
フィニッシャ１００は、本体の排紙ユニット１８によって搬送された転写紙を、排紙トレイ１０４方向と、ステープル台１０７方向へ導くことができる。即ち、切り替え板１０１を下に切り替えることにより、搬送ローラ１０２，１０３を経由して排紙トレイ１０４側に排紙し、切り替え板１０１を上に切り替えることにより、搬送ローラ１０５，１０６を経由して、ステープル台１０７に搬送することができる。ステープル台１０７に積載された転写紙は、一枚排紙されるごとに紙揃え用のジョガー１０８によって、紙端面が揃えられ、一部のコピー完了と共にステープラ１０６によって綴じられる。ステープラ１０６で綴じられた転写紙群は自重によって、ステープル完了排紙トレイ１０９に収納される。
【００１４】
排紙トレイ１０４は転写紙搬送方向に対し左右に移動可能な排紙トレイである。この排紙トレイ１０４は、原稿毎、あるいは、ソーティングされたコピー部毎に、転写紙搬送方向に対し左右に移動し、排出されてくるコピー紙を簡易に仕分けるものである。
【００１５】
転写紙の両面に画像を作像する場合は、各給紙トレイ８〜１０から給紙され作像された転写紙を排紙トレイ１０４側に導かないで、不図示の両面入紙搬送路に経路を切り替え、反転ユニットを経由して、一旦両面給紙ユニットにストックする。その後、両面給紙ユニットにストックされた転写紙は再び感光体１５に作像されたトナー画像を転写するために、両面給紙ユニットから再給紙され、定着後に今度は排紙トレイ１０４に導かれる。この様に転写紙の両面に画像を作成する場合に両面給紙ユニットは使用される。また、反転排紙の際には、反転ユニットを経由して反転排紙搬送路を通って排紙トレイ１０４に導かれる。
【００１６】
ここで、読み取りユニット５０にて読み取られた原稿の画像データに基いて生成され、書き込みユニット５７に入力される作像データ信号について説明する。
図２は、読み取りユニット５０にて読み取られた原稿の画像データに基いて生成され書き込みユニット５７に入力される作像データ信号の生成回路のブロック構成図である。
【００１７】
図２において、上述したように読み取りユニット５０では、露光ランプ５１により照射される原稿からの反射光を、ＣＣＤイメージセンサ５４にて光電変換する。イメージセンサ５４から出力される原稿画像信号は、Ａ／Ｄコンバータ６１にてデジタル信号に変換された後、シェーディング補正部６２及びＭＴＦ（Modulation Transfer Function）補正、γ補正部６３にて各補正が施される。これらを経由した画像信号はセレクタ６４に流れる。セレクタ６４では、画像信号の送り先を、印字合成ユニット７１または、画像メモリコントローラ６５への切り替えが行われる。印字合成ユニット７１を経由した画像信号は変倍回路７７で変倍率に合わせて拡大縮小され書き込みユニット５７に送られる。
画像メモリコントローラ６５とセレクタ６４間は、双方向に画像信号を入出力可能な構成となっている。また、画像メモリコントローラ６５等への設定や、読み取りユニット５０、書き込みユニット５７の制御を行うＣＰＵ（Central Processing Unit）６８、及びそのプログラムやデータを格納するＲＯＭ（Read Only Memory）６９、ＲＡＭ（Random Access Memory）７０、ジョブ関連情報等の管理情報を保存するＮＶ−ＲＡＭ７４を備えている。更にＣＰＵ６８は、メモリコントローラ６５を介して、画像メモリ６６のデータの書き込み、読み出しが行える。
【００１８】
原稿画像で画像メモリコントローラ６５へ送られた画像は、画像メモリコントローラ内にある画像圧縮装置によって画像データを圧縮した後、画像メモリ６６に送られる。ここで画像圧縮する理由は、最大画像サイズ分の２５６階調のデータをそのまま画像メモリ６６に書き込むことも可能であるが、１枚の原稿画像で画像メモリの容量を大変多く使用する。画像圧縮を行うことで、限られた画像メモリ６６を有効に利用できる。また、一度に多くの原稿画像データを記憶することが出来るため、ソート機能として、貯えられた原稿画像イメージデータをページ順に出力することができる。ソート機能を用いて画像を出力する際に画像メモリ６６のデータをメモリコントローラ６５内の伸長装置で順次伸長しながら出力を行う。このような機能は一般に「電子ソート」と呼ばれている。
【００１９】
また画像メモリの機能を利用して、複数枚の原稿画像を、画像メモリの転写紙一枚分のエリアを分割したエリアに順次読み込むことも可能となる。例えば４枚の原稿画像を、画像メモリの転写紙一枚分の４等分されたエリアに順次書き込むことで、４枚の原稿が一枚の転写紙イメージに合成され集約されたコピー出力を得ることが可能となる。このような機能は一般に「集約コピー」と呼ばれている。
【００２０】
画像メモリ６６の画像はＣＰＵ６８からアクセス可能な構成となっている。このため画像メモリの内容を加工することが可能であり、例えば画像の間引き処理、画像の切り出し処理等が行える。加工には、メモリコントローラ６５のレジスタにデータを書き込むことで画像メモリの処理を行うことができる。加工された画像は再度画像メモリ６６に保持される。画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラ６５とのインターフェースにリード用とライト用の二組のアドレス・データ線で接続されている。これによりエリア１に画像を入力（ライト）する間にエリア２より画像を出力（リード）するという動作が可能になる。
【００２１】
また、画像メモリ６６の内容をＣＰＵ６８が読みだし、Ｉ／Ｏポート６７を経て、画像データ７３として図４で後述する操作部３０に転送することが可能な構成となっている。一般に、操作部３０の画面表示解像度は低い為、画像メモリ６６の原画像は画像間引きが行われ、操作部３０に送られる。画像メモリ６６は、多くの画像データを収納するためハードディスクが用いられることもある。ハードディスクを用いることにより、外部電源が不要で永久的に画像を保持できる特徴もあり、複数の定型の原稿（フォーマット原稿）をスキャナで読み込み保持するためには、このハードディスクが用いられるのが一般的である。
【００２２】
図３は、図１のデジタル複写機の制御系を示す概略ブロック構成図である。
図３において、メインコントローラ２０は不図示のＣＰＵによりデジタル複写機全体を制御する。メインコントローラ２０には、ユーザに対する表示、ユーザからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。また、メインコントローラ２０には複数の複写機に接続して各装置の構成および機能情報、動作制御に関する情報の送受信を行うための連結Ｉ／Ｆ４８が接続されている。
【００２３】
メインコントローラ２０は、各分散制御装置と必要に応じて機械の状態、動作指令のやりとりを行っている。また紙搬送等に必要なメインモータ２５、各種クラッチ２１〜２４も接続されている。即ち、上述の感光体１５、搬送ベルト１６、定着ユニット１７、排紙ユニット１８、現像ユニット２７はメインモータ２５によって駆動され、各給紙装置１１〜１３はメインモータの駆動力を各々給紙クラッチ２２，２３，２４によって伝達し駆動される。縦搬送ユニット１４はメインモータの駆動力を中間クラッチ２１によって伝達し駆動される。
【００２４】
連結Ｉ／Ｆ４８は画像情報の送受信のため、メモリメモリコントローラ６５のデータバスに接続され、データの入出力が可能な構成になっている。複写機間のデータ転送速度に応じて、画像情報は図２の画像メモリ６６を介して転送される。すなわち、画像出力時にはメモリコントローラ６５から画像メモリ６６に画像データを格納した後、複写機間のデータ転送速度に応じて順次画像メモリ６６からデータを読み出して、連結Ｉ／Ｆ４８にデータを転送する。画像入力時には連結Ｉ／Ｆ４８より転送される画像データを画像メモリ６６に格納した後、画像メモリ６６からメモリコントローラ６５を介して装置内部で画像データの処理を行う。上述の構成により、複写機の機能の制約を受けることなく連結動作の実現が可能となる。
【００２５】
また、この制御部には、読み取りユニット５０から入力される画像データ以外にもネットワークを介して外部のホスト機から供給される画像データ、例えば、ＰＣ等の画像処理装置で処理され、生成された画像データを受け入れ、本機のプリンタ機能を利用して画像処理ができるようになされている。そのために、ＣＰＵ６８の制御下にネットワークＩ／Ｆ（不図示）を備え、外部のホスト機からのジョブ処理要求指令やその指令に関する情報等の交信を行うことができるようにしている。
【００２６】
図４は、図１の装置においてユーザーが指令入力を行うために設けられる操作部３０を示す図である。図中、操作部３０には、液晶タッチパネル３１、初期設定キー３２、コピーキー３３、スキャナキー３４、ファックスキー３５、ドキュメントボックスキー３６、テンキー３７、スタートキー３８、クリア／ストップキー３９、試しコピーキー４０、リセットキー４１、予熱キー４２、予約キー４３、操作者キー４４がある。コピーキー４３、スキャナキー４４、ファックスキー４１、ドキュメントボックスキー４２により複合機として当該機能を選択することが可能である。液晶タッチパネル３１には、コピーキー３３、スキャナキー３４、ファックスキー３５、ドキュメントボックスキー３６の各機能キーごとの動作設定状態等を示すメッセージが表示される。初期設定キー３８の押下により、機械の初期状態を任意にカスタマイズすることが可能である。本機が収納している用紙サイズを設定したり、コピー機能のモードクリアキーを押したときに設定される状態を任意に設定可能である。また、試しコピーキー４０により１部だけの試しコピーが可能である。予熱キー３５を押下すると、複写機は待機状態から、電力低減状態に移行し、定着温度を低下させたり、操作部の表示を消灯する。
【００２７】
次に、本発明の実施形態に係る試しコピーの結果に基いてコピー項目を修正する手法を図５乃至図７を参照して詳細に説明する。
【００２８】
（実施形態１）本実施形態では、試しコピーの結果がユーザーの意図したコピー結果になっていない場合に、試しコピーの結果とユーザーの意図したコピーとの違いが指摘されることによって、デジタル複写機が自動的にコピー項目を修正し、修正したコピー項目でコピーを可能にする。
図５は、本発明の実施形態に係る試しコピーの結果に基いてコピー項目を自動的に修正する処理手順をウイザード画面形式で示す図である。
いまコピーを行おうとするユーザーは、ＡＤＦ１に設けた原稿台２に、原稿の画像面を上にして原稿束をセットし、操作部３０のコピーキー３３を押下する。コピーキー３３が押下されたことをメインコントローラ２０のＣＰＵが判断すると、ＣＰＵは操作部３０の液晶タッチパネル３１にコピー項目の設定画面１００を表示する。
【００２９】
この画面１００は、（１）原稿が文字原稿か写真原稿か、或いはその他の特殊原稿かの原稿の種類、（２）コピー濃度を自動濃度として本機の設定値に任せるか或いは手動で濃くするか淡くするかの濃度の種類、（３）用紙サイズを本機の自動選択に任せるか或いは手動で所定サイズの用紙を選択するかの用紙サイズの種類、（４）コピーの大きさを等倍にするか或いは用紙指定変倍にするかのコピー倍率の種類、（５）両面又は集約又は分割等の印刷形式の種類、（６）ソート出力、ステープル出力、パンチ出力等の付加機能出力の種類等がタッチにより選択可能に表示する画面である。ユーザーはこの画面で自分が意図するコピーの項目を選択し、試しコピーキー４０を押下する。すると試しコピーが実行されると共に画面１００は画面１０１に変化する。
【００３０】
画面１０１は、試しコピーの結果により、設定したコピー項目でそのままコピーを継続するか、或いはミスコピーとしてコピー項目を修正するか、或いは一旦コピーを中断するかを、ユーザーに選択させる画面である。このため継続ボタン１０１ｘ、ミスコピー修正ボタン１０１ｙ、中断ボタン１０１ｚが示される。ユーザーがミスコピーであるとしてミスコピー修正ボタン１０１ｙをタッチすると、この画面はミスコピー修正画面１０２に変化する。
【００３１】
画面１０２は、試しコピーの結果とユーザーの意図したコピーとの違いをコピー項目毎に選択出来るように示す画面である。画面１０２の例では、ステープル、両面コピー、ステープルと両面コピーの３つのコピー項目について、ステープルボタン１０２ｘ、両面コピーボタン１０２ｙ、ステープルと両面コピーボタン１０２ｚの形式で表示している。
これらのコピー項目は、メインコントローラ２０のメモリ２０Ｍに、試しコピーの結果とユーザーの意図したコピーとの違いのケース一覧として、前記各コピー項目ボタンと各コピー項目に関する質問を表示する質問事項一覧画面とを対応させてテーブル形式で記憶されている。このようにテーブルを設けておくことにより、前記ミスコピー修正ボタン１０１ｙがタッチされたとき、メインコントローラ２０のＣＰＵ（不図示）は、タッチされた項目ボタンのコピー項目に基づき前記テーブルを検索して対応する質問画面を抽出して表示する。即ち、ユーザーは、表示画面１０２上で例えばステープルが自分の意図と違っていたとして、ステープルボタン１０２ｘをタッチすると、画面１０２は画面１０３に変化する。
【００３２】
画面１０３は、１例としてステープルがユーザーの意図とどのように違っていたのか、その違いを問い合わせる質問事項の一覧を示す画面である。画面１０３の例では、ステープルをしたくなかったのにステープルされた、希望のスタイルでステープルできなかった、ステープル位置が違っていた、の３つの質問事項を、それぞれ（１）ステープルしたくなかったボタン１０３ｘ、（２）ステープルできなかったボタン１０３ｙ、（３）ステープル位置が間違っていたボタン１０３ｚの形式で表示している。
これらの質問事項は、メインコントローラ２０のメモリ２０Ｍに試しコピーの結果とユーザーの意図したコピーとの違いに基く質問事項として、既に述べたようにテーブル形式で記憶しておくことにより、前記ステープルボタン１０２ｘがタッチされたとき、メインコントローラ２０のＣＰＵ（不図示）がコピー項目であるステープルに基づきこれに対応する質問事項一覧を検索して抽出し、この質問事項一覧をボタン形式で表示する。画面１０３上で、ユーザーは例えばステープルが自分の「ステープルしたくなかった」意図と違っていたとして、ステープルボタン１０３ｘをタッチすると、画面１０３は画面１０４に変化する。つまり、この場合も、質問事項と当該質問事項に関連する質問事項一覧を対応させてメモリ２０Ｍにテーブル形式で記憶させておき、メインコントローラ２０のＣＰＵは、質問事項が表示画面から選択入力されると、当該質問事項に基き前記テーブルから関連質問事項一覧を検索して抽出し、ボタン形式で表示する。
【００３３】
画面１０４は、コピー項目を修正することを通知する画面である。メインコントローラ２０のＣＰＵ（不図示）は、ステープルボタン１０３ｘがタッチされたことを判断すると、ユーザーにより誤設定されていたステープル設定を自動的に解除するとともに、前記画面１０４により解除を通知する。即ち、ステープル設定を解除し、「ステープルを解除しました。このままスタートキーを押すと修正されたコピーが実行されます。」というメッセージにより通知する。従ってユーザーは、スタートキー３８を押下することによりステープルのされないコピーを作成することができる。
【００３４】
また、画面１０３において、ステープルできなかったボタン１０３ｙをタッチすると、画面１０３は画面１０５に変化する。
【００３５】
画面１０５は、希望のスタイルでステープルできなかったミスコピー原因を問い合わせる質問事項の表示画面である。画面１０５では、ユーザーにコピー用紙のどの位置にステープルをしたかったかを問合せる画面になっている。従ってユーザーは所定の位置を指示することにより応答すると、画面１０５は更に画面１０６に変化する。
【００３６】
画面１０６は、更にユーザーに原稿はどのようにセットされたかを問合せる画面になっている。従ってユーザーは原稿をセットした方向を指示することによりこの問い合わせに応答すると、画面１０６は、コピー項目を修正することを通知する画面１０７に変化する。
メインコントローラ２０のＣＰＵ（不図示）は、ステープル位置と原稿のセット方向が指示されたことを判断すると、ユーザーにより誤設定されていたステープル位置、及び原稿のセット方向を修正するとともに、前記画面１０７により修正を通知する。即ち、ステープル位置及びセット方向を修正し、「ステープルを正しく設定しました。このままスタートキーを押すと新しいコピーが実行されます。」というメッセージにより通知する。従ってユーザーは、スタートキー３８を押下することにより新しい設定でコピーを作成することができる。
【００３７】
更に、画面１０３において、ステープル位置が間違っていたボタン１０３ｙをタッチすると、画面１０３は画面１０８に変化する。
【００３８】
画面１０８は、ステープル位置が間違っていたミスコピーの原因を問い合わせる表示画面である。画面１０８では、ユーザーにステープル位置がどのように違っていたかを問合せる画面になっている。従ってユーザーは所定の位置を指示することにより応答すると、画面１０８は更に画面１０９に変化する。
【００３９】
画面１０９は、更にユーザーにコピー用紙のどの位置にステープルしたかったかを問合せる画面になっている。従ってユーザーはステープルしたかった位置を指示することにより応答すると、画面１０９は、コピー項目を修正することを通知する画面１１０に変化する。
メインコントローラ２０のＣＰＵ（不図示）は、ステープル位置が希望位置と違っていた位置と新しく希望位置が指示されたことを判断すると、ユーザーにより誤設定されていたステープル位置を変更するとともに、前記画面１１０により修正を通知する。即ち、ステープル位置を変更し、「ステープルを正しく設定しました。このままスタートキーを押すと新しいコピーが実行されます。」というメッセージにより通知する。従ってユーザーは、スタートキー３８を押下することにより新しいステープル位置の設定でコピーを作成することができる。
【００４０】
前記画面１０２において、ユーザーが両面コピー、ステープルと両面コピーが自分の意図と違っていたとして、両面コピーボタン１０２ｙ又はステープルと両面コピーボタン１０２ｚをタッチする場合には、前記画面１０２は上述のステープルと同種類の画面となる。従って、これらの画面の説明は重複をさけるために省略する。
【００４１】
図８は、画面上に表示されたボタンと表示画面との関係を表にして示したものである。
本実施形態によれば、例えば、図５における１０１の画面上に表示されたミスコピー修正ボタン１０１ｙを選択することにより、右側の画像データ即ち表示画面１０２が表示され、次に表示画面１０２でステープル１０２ｘを選択することにより、表示画面１０３が表示され、更に、表示画面１０３でステップルしたくなかったボタン１０３ｘを選択すると、表示画面１０４が表示される、という具合に、メインコントローラ２０のＣＰＵは、ＧＵＩ（Graphical User Interface）によりユーザと対話形式で処理を進め、最終的にユーザが希望する設定を判別してコピー項目の再設定を行うことができる。
つまり、ユーザーはデジタル複写機の画面表示に従ってミスコピーの発生状況及び発生原因を質問に答える形で入力するだけで、デジタル複写機のメインコントローラは、誤ったユーザーのコピー設定を自動的に変更するので、ユーザーは単純な操作で確実に希望する設定でコピーを作成することができる。
【００４２】
（実施形態２）本実施形態では、試しコピーの結果がユーザーの意図したコピー結果になっていないとき、試しコピーの結果とユーザーの意図したコピーとの違いを指示することによって、デジタル複写機が自動的にコピー項目を修正し、修正したコピー項目でコピーを可能にする場合に、次回以降の設定注意画面を表示する。
【００４３】
図６は、本発明の実施形態に係る試しコピーの結果に基いてコピー項目を自動的に修正すると共に次回以降の設定注意画面を表示する処理手順をウイザード画面形式で示す図である。
基本的には、図５のウイザード画面と同じであるので、図５と同じ画面には同じ参照番号を付して説明を省略する。
【００４４】
そこで画面１０４ａについて説明すると、画面１０４ａは、画面１０３上でユーザーが自分のステープルしたくなかった意図と違っていたとして、ステープルボタン１０３ｘをタッチしたときに表示される画面である。画面１０４ａ中、１０４ｘはユーザーが選択可能な複数のコピー項目ボタンを模式的に示しており、そのうちステープルが黒反転１０４ｙで示されるように設定されている。ユーザーは、この黒反転と「ステープルが選ばれていました。」というメッセージによりステープルが設定されていることを確認しながら、画面１０４ａの「ステープルを解除しました。このままスタートキーを押すと、修正されたコピーが実行されます。」という表示に従ってスタートキー３８を押下することによりステープルのないコピーを作成することができる。
【００４５】
このような確認の表示は、画面１０５ａ，１０６ａ、１０９ａにおいても同じように行う。また画面１０２において、ユーザーが両面コピー、ステープルと両面コピーが自分の意図と違っていたとして、両面コピーボタン１０２ｙ又はステープルと両面コピーボタン１０２ｚをタッチする場合も同種類の処理画面となる。
【００４６】
本実施形態によれば、ユーザーは自分のコピー項目の誤設定を自分で確認できるので、学習効果が蓄積され以後の設定ミスを減少させることができる。
【００４７】
（実施形態３）本実施形態では、試しコピーの結果がユーザーの意図したコピー結果になっていない場合に、試しコピーの結果とユーザーの意図したコピーとの違いを指摘することによって、ユーザーがコピー項目を再入力し、再入力されたコピー項目でコピーを可能にする。
図７は、本発明の実施形態に係る試しコピーの結果に基いてコピー項目を再入力により修正する処理手順をウイザード画面形式で示す図である。
図７において、画面１００、１０１、１０２、１０３、１０５、１０６、１０８、１０９による試しコピー後のコピー項目の選択、ミスコピー発生状況及びミスコピー発生原因の選択によるコピー項目の変更処理は、実施形態１及び２で説明した変更処理と同じである。
【００４８】
そこで、画面１０４ａについて説明すると、画面１０４ａは、画面１０３上でユーザーが自分のステープルしたくなかった意図と違っていたとして、ステープルボタン１０３ｘをタッチしたときに表示される画面である。画面１０４ａ中、１０４ｘはユーザーが選択可能な複数のコピー項目ボタンを模式的に示しており、そのうち１０４ｙで示されるようにステープルが黒反転１０４ｙにより設定されている。そしてこの黒反転表示はユーザーにステープルが設定されていることを確認させるために表示するものである。このため画面１０４ａには、「ステープルが選ばれてしまっています。解除するには反転しているボタンをもう１度押してください。」というメッセージが表示されるので、ユーザーはこのボタンを押すことによりステープルを解除する。この解除により画面１０４ａは通常画面１００に戻るので、ユーザーはステープルを行わないコピー項目を設定する。
【００４９】
本実施形態では、両面コピーができなかった場合、及びステープル位置が違っていた場合の画面１０７ａ、１１０ａにおいても前記ステープルの場合と同様であり、更に画面１０２において、ユーザーが両面コピー、ステープルと両面コピーが自分の意図と違っていたとして、両面コピーボタン１０２ｙ又はステープルと両面コピーボタン１０２ｚをタッチする場合も同種類の画面となる。
【００５０】
本実施形態によれば、ユーザーは自分のコピー項目の誤設定を自分で確認して変更するので、学習効果が蓄積され以後の設定ミスを減少させることができる。
【００５１】
前記ウイザード画面で述べた誤って設定されたコピー項目の修正を実行させるために、前記修正の処理手順を汎用のプログラム言語によりコンピュータプログラムとして記述し、かつ、このプログラムをフレキシブルディスク、CD−ROM等の任意の記録媒体に記録し、これを画像形成装置のコンピュータに読み取らせることで本発明に係るコピー項目の修正を容易に実施することができる。
【産業上の利用可能性】
【００５２】
以上のように、本発明に係る誤設定されたコピー項目を修正する手法は、常に誤りのないコピー項目を設定可能にする手法として有用であり、特に多数枚のコピーが可能なデジタル複写機などの画像形成装置に用いるのに適している。
【図面の簡単な説明】
【００５３】
【図１】本発明の実施形態に係るデジタル複写機の全体概略構成図である。
【図２】読み取りユニットにて読み取られた原稿の画像データに基いて生成され書き込みユニットに入力される作像データ信号の生成回路のブロック構成図である。
【図３】図１のデジタル複写機の制御系を示す概略ブロック構成図である。
【図４】図１のデジタル複写機の操作部を示す図である。
【図５】本発明の実施形態に係る試しコピーの結果に基いてコピー項目を自動的に修正する処理手順をウイザード画面形式で示す図である。
【図６】本発明の実施形態に係る試しコピーの結果に基いてコピー項目を自動的に修正し次回以降の設定注意画面を表示する処理手順をウイザード画面形式で示す図である。
【図７】本発明の実施形態に係る試しコピーの結果に基いてコピー項目を再入力により修正する処理手順をウイザード画面形式で示す図である。
【図８】画面表示された表示ボタンと表示画面との関係を表した一覧表である。
【符号の説明】
【００５４】
１・・自動原稿送り装置、２・・原稿台、３・・給送ローラ、４・・給送ベルト、５・・排送ローラ、６・・コンタクトガラス、７・・原稿セット検知器、１５・・感光体、５０・・読み取りユニット、５１・・露光ランプ、５２・・第１ミラー、５３・・レンズ、５４・・ＣＣＤイメージセンサ、５５・・第２ミラー、５７・・書き込みユニット、５８・・レーザ出力ユニット、５９・・結像レンズ、６０・・ミラー。
【図１】
2005268947.tif 000003
【図２】
2005268947.tif 000004
【図３】
2005268947.tif 000005
【図４】
2005268947.tif 000006
【図５】
2005268947.tif 000007
【図６】
2005268947.tif 000008
【図７】
2005268947.tif 000009
【図８】
2005268947.tif 000010